(57)【要約】【課題】吸水性に優れ、汗をかいた場合でもベタツキ感が生じず、また、立体的で体にフィットすると共に、ミシン目によるツッパリ感や縫代によるゴロツキ感が生じない、優れた着心地感と保温性を兼ね備えた無縫製立体編成保温性肌着及び無縫製立体編成保温性肌着作成方法を提供することを目的とする。【解決手段】前身頃及び後身頃が夫々、強撚糸で編成される強撚糸編地１が複数重なり合って形成される強撚糸重合編地２から成り、この強撚糸重合編地２は、フクロ編みにより複数の節結部３が形成されていると共に、前記節結部３間において強撚糸編地１同士が互いに離間し空気層４が形成されている無縫製立体編成保温性肌着。【選択図】図９
2019203222.tif 000002
【特許請求の範囲】
【請求項１】
前身頃及び後身頃が夫々、強撚糸で編成される強撚糸編地が複数重なり合って形成される強撚糸重合編地から成り、この強撚糸重合編地は、フクロ編みにより複数の節結部が形成されていると共に、前記節結部間において強撚糸編地同士が互いに離間し空気層が形成されていることを特徴とする無縫製立体編成保温性肌着。
【請求項２】
前記強撚糸は、天然繊維であることを特徴とする請求項１記載の無縫製立体編成保温性肌着。
【請求項３】
前下ニードルベッドと、この前下ニードルベッドと対角位置に配置される後上ニードルベッドと、この後上ニードルベッドの下方に配置される後下ニードルベッドと、前記前下ニードルベッドの上方にして前記後下ニードルベッドと対角位置に配置される前上ニードルベッドとの四枚のニードルベッドを備える無縫製横編機を用いて保温性を有する無縫製立体編成肌着を作成する無縫製立体編成保温性肌着作成方法であって、前記前下ニードルベッドと前記後上ニードルベッドとで強撚糸をフクロ編みして前身頃、後身頃の一方の身頃となる一側身頃用強撚糸重合編地を編成する第一強撚糸重合編地編成工程と、前記前下ニードルベッドにある編目を前記後上ニードルベッドの空針へ目移しする、若しくは前記後上ニードルベッドにある編目を前記前下ニードルベッドの空針へ目移しする第一目移し工程と、前記後下ニードルベッドと前記前上ニードルベッドとで強撚糸をフクロ編みしてもう一方の身頃となる他側身頃用強撚糸重合編地を編成する第二強撚糸重合編地編成工程と、前記後下ニードルベッドにある編目を前記前上ニードルベッドの空針へ目移しする、若しくは前記前上ニードルベッドにある編目を前記後下ニードルベッドの空針へ目移しする第二目移し工程と、前記第一目移し工程において移動させた編目をもとの編針に戻す第一編目戻し工程と、前記第二目移し工程において移動させた編目をもとの編針に戻す第二編目戻し工程と、を備えることを特徴とする無縫製立体編成保温性肌着作成方法。
【発明の詳細な説明】
【技術分野】
【０００１】
本発明は、無縫製立体編成保温性肌着及び無縫製立体編成保温性肌着作成方法に関するものである。
【背景技術】
【０００２】
従来の保温性肌着は、空気を溜めることができるように中心に空洞が形成された繊維や、遠赤外線を放射する化合物が付着された繊維等の合成繊維を用いたものが多い。
【０００３】
しかしながら、このような合繊繊維を用いた保温性肌着は吸水性が低いため、汗をかいた場合に蒸れ感やベタツキ感が生じてしまう問題を有する。
【０００４】
また、従来の保温性肌着は、平面の編地を裁断したパーツを縫製機器により縫い合わせて形成しているので、ミシン目によるツッパリ感や縫代によるゴロツキ感が生じたり、平面的で体にフィットせずダブツキ感が生じたりする問題があり、決して着心地が良いものとはいえないものであった。
【０００５】
ところで、本発明者は、これまでに、編地の編成方法に関する二件と特許出願を行っている。その一つは、３枚以上のフクロ編みの編成方法に関するもので、衣料用原料糸を使用して、二枚合わせの天竺編みを１針編んで１針編まない１×１、若しくは１針編んで２針編まない１×２、若しくはｎ針編んでｍ針編まないｎ×ｍ（ｎ，ｍは１以上の整数）と編むことで、空針を１、２若しくはｍ針つくり、その空針を利用して前記二枚合わせの天竺編みの間に天竺を編み、前後の針に移しながら前針、後針の天竺を編んで繰り返すことによって３枚以上のフクロ状の編地を編成することができることを特徴とするもの（特許文献１）であり、もう一つは、立体的な表面模様を造る編地の編成方法に関するもので、強撚糸を使用した編地を複数枚合わせで編み、この重合する強撚糸使用編地同士を、１針以上の所定間隔を置いてタックで所々繋ぐか、若しくは１針以上の所定間隔を置いて重合する編地の糸を交叉させて所々で連結し、前記タック間若しくは前記糸交叉部間の編地が、強撚糸の撚りの力によって、夫々の編地の斜行しようとする力のぶつかり合いにより編地を膨出させて立体的な表面模様を造ることを特徴とするもの（特許文献２）である。
【先行技術文献】
【特許文献】
【０００６】
【特許文献１】特許第３０２５８８９号公報
【特許文献２】特許第３０４６５９６号公報
【発明の概要】
【発明が解決しようとする課題】
【０００７】
本発明者は、この二つの特許技術を用いて上述した従来の保温性肌着が有する問題を解決することができないかと日々鋭意検討を重ねた結果、無縫製横編機とこれら二つの特許技術を複合応用した新たな編立技術の開発に成功し、この編立技術を用いてこれまでにない着心地感と保温性を兼ね備えた画期的な無縫製立体編成保温性肌着を開発した。
【０００８】
即ち、本発明は、従来の保温性肌着が有する問題を解決するものであり、吸水性に優れ、汗をかいた場合でもベタツキ感が生じず、また、立体的で体にフィットすると共に、ミシン目によるツッパリ感や縫代によるゴロツキ感が生じない、優れた着心地感と保温性を兼ね備えた無縫製立体編成保温性肌着及び無縫製立体編成保温性肌着作成方法を提供することを目的とする。
【課題を解決するための手段】
【０００９】
添付図面を参照して本発明の要旨を説明する。
【００１０】
前身頃及び後身頃が夫々、強撚糸で編成される強撚糸編地１が複数重なり合って形成される強撚糸重合編地２から成り、この強撚糸重合編地２は、フクロ編みにより複数の節結部３が形成されていると共に、前記節結部３間において強撚糸編地１同士が互いに離間し空気層４が形成されていることを特徴とする無縫製立体編成保温性肌着に係るものである。
【００１１】
また、前記強撚糸は、天然繊維であることを特徴とする請求項１記載の無縫製立体編成保温性肌着に係るものである。
【００１２】
また、前下ニードルベッド10と、この前下ニードルベッド10と対角位置に配置される後上ニードルベッド11と、この後上ニードルベッド11の下方に配置される後下ニードルベッド12と、前記前下ニードルベッド10の上方にして前記後下ニードルベッド12と対角位置に配置される前上ニードルベッド13との四枚のニードルベッドを備える無縫製横編機を用いて保温性を有する無縫製立体編成肌着を作成する無縫製立体編成保温性肌着作成方法であって、前記前下ニードルベッド10と前記後上ニードルベッド11とで強撚糸をフクロ編みして前身頃、後身頃の一方の身頃となる一側身頃用強撚糸重合編地２を編成する第一強撚糸重合編地編成工程と、前記前下ニードルベッド10にある編目を前記後上ニードルベッド11の空針へ目移しする、若しくは前記後上ニードルベッド11にある編目を前記前下ニードルベッド10の空針へ目移しする第一目移し工程と、前記後下ニードルベッド12と前記前上ニードルベッド13とで強撚糸をフクロ編みしてもう一方の身頃となる他側身頃用強撚糸重合編地２を編成する第二強撚糸重合編地編成工程と、前記後下ニードルベッド12にある編目を前記前上ニードルベッド13の空針へ目移しする、若しくは前記前上ニードルベッド13にある編目を前記後下ニードルベッド12の空針へ目移しする第二目移し工程と、前記第一目移し工程において移動させた編目をもとの編針に戻す第一編目戻し工程と、前記第二目移し工程において移動させた編目をもとの編針に戻す第二編目戻し工程と、を備えることを特徴とする無縫製立体編成保温性肌着作成方法に係るものである。
【発明の効果】
【００１３】
本発明は上述のように構成したから、吸水性に優れ、汗をかいた場合でもベタツキ感が生じず、また、立体的で体にフィットすると共に、ミシン目によるツッパリ感や縫代によるゴロツキ感が生じない、優れた着心地感と保温性を兼ね備える画期的な無縫製立体編成保温性肌着及び無縫製立体編成保温性肌着作成方法となる。
【図面の簡単な説明】
【００１４】
【図１】実施例１の無縫製立体編成保温性肌着作成方法における第一強撚糸重合編地編成工程の編地状態説明図である。
【図２】実施例１の無縫製立体編成保温性肌着作成方法における第一強撚糸重合編地編成工程の編地状態説明図である。
【図３】実施例１の無縫製立体編成保温性肌着作成方法における第一目移し工程の編地状態説明図である。
【図４】実施例１の無縫製立体編成保温性肌着作成方法における第二強撚糸重合編地編成工程の編地状態説明図である。
【図５】実施例１の無縫製立体編成保温性肌着作成方法における第二強撚糸重合編地編成工程の編地状態説明図である。
【図６】実施例１の無縫製立体編成保温性肌着作成方法における第二目移し工程の編地状態説明図である。
【図７】実施例１の無縫製立体編成保温性肌着作成方法における第一編目戻し工程の編地状態説明図である。
【図８】実施例１の無縫製立体編成保温性肌着作成方法における第二編目戻し工程の編地状態説明図である。
【図９】実施例１の無縫製立体編成保温性肌着作成方法で編成した無縫製立体編成保温性肌着の前身頃用強撚糸重合編地と後身頃用強撚糸重合編地の示す説明断面図である。
【図１０】実施例２の無縫製立体編成保温性肌着作成方法における第一強撚糸重合編地編成工程の編地状態説明図である。
【図１１】実施例２の無縫製立体編成保温性肌着作成方法における第一強撚糸重合編地編成工程の編地状態説明図である。
【図１２】実施例２の無縫製立体編成保温性肌着作成方法における第一強撚糸重合編地編成工程の編地状態説明図である。
【図１３】実施例２の無縫製立体編成保温性肌着作成方法における第一目移し工程の編地状態説明図である。
【図１４】実施例２の無縫製立体編成保温性肌着作成方法における第二強撚糸重合編地編成工程の編地状態説明図である。
【図１５】実施例２の無縫製立体編成保温性肌着作成方法における第二強撚糸重合編地編成工程の編地状態説明図である。
【図１６】実施例２の無縫製立体編成保温性肌着作成方法における第二強撚糸重合編地編成工程の編地状態説明図である。
【図１７】実施例２の無縫製立体編成保温性肌着作成方法における第二目移し工程の編地状態説明図である。
【図１８】実施例２の無縫製立体編成保温性肌着作成方法における第一編目戻し工程の編地状態説明図である。
【図１９】実施例２の無縫製立体編成保温性肌着作成方法における第二編目戻し工程の編地状態説明図である。
【図２０】実施例２の無縫製立体編成保温性肌着作成方法で編成した無縫製立体編成保温性肌着の前身頃用強撚糸重合編地と後身頃用強撚糸重合編地の示す説明断面図である。
【発明を実施するための形態】
【００１５】
好適と考える本発明の実施形態を、図面に基づいて本発明の作用を示して簡単に説明する。
【００１６】
本発明の無縫製立体編成保温性肌着は、前身頃及び後身頃が夫々、強撚糸で編成される強撚糸編地１が複数重なり合って形成される強撚糸重合編地２から成り、この強撚糸重合編地２は、フクロ編みにより複数の節結部３が形成されていると共に、各節結部３間において強撚糸編地１同士が互いに離間し空気層４が形成されるから、この空気層４が断熱層になって保温効果を発揮する。
【００１７】
即ち、本発明は、強撚糸を使用した編地を複数枚合わせで編み、この重合する強撚糸編地１同士を、１針以上の所定間隔をおいて重合する強撚糸編地１の強撚糸を交差させて所々で連結し、この強撚糸が交差し連結する節結部３間の強撚糸編地１が、強撚糸の撚りの力によって、夫々の強撚糸編地１の斜行しようとする力がぶつかり合い膨れた状態となることで強撚糸編地１同士が互いに離間し空間が形成され、この空間に空気が入り込んで空気層４が形成されることでこの空気層４が断熱層になって、保温性が付与される。
【００１８】
また、本発明は、前身頃と後身頃とが無縫製で連設編成されている、言い換えると、前身頃と後身頃とが一体に筒状に編成されているから、この前身頃と後身頃との境界にミシン目や縫代がなく、ゆえに、これらによるツッパリ感やゴロツキ感が生じず、着心地の良い無縫製立体編成保温性肌着となる。
【実施例１】
【００１９】
本発明の具体的な実施例１について図１〜９に基づいて説明する。
【００２０】
本実施例は、前身頃及び後身頃を夫々、重なり合う二枚の強撚糸編地１で形成すると共に、強撚糸編地１間に空気層４を形成し、この空気層４の形成により優れた保温性を発揮する無縫製立体編成保温性肌着を編成する無縫製立体編成保温性肌着作成方法に関するものである。
【００２１】
具体的には、本実施例の無縫製立体編成保温性肌着作成方法は、前下ニードルベッド10と、この前下ニードルベッド10と対角位置に配置される後上ニードルベッド11と、この後上ニードルベッド11の下方に配置される後下ニードルベッド12と、前記前下ニードルベッド10の上方にして前記後下ニードルベッド12と対角位置に配置される前上ニードルベッド13との四枚のニードルベッドを備える無縫製横編機を用い、無縫製横編機の前下ニードルベッド10と後上ニードルベッド11とで強撚糸をフクロ編みして前身頃、後身頃の一方の身頃となる一側身頃用強撚糸重合編地２を編成する第一強撚糸重合編地編成工程と、前記前下ニードルベッド10にある編目を前記後上ニードルベッド11の空針へ目移しする、若しくは前記後上ニードルベッド11にある編目を前記前下ニードルベッド10の空針へ目移しする第一目移し工程と、前記後下ニードルベッド12と前記前上ニードルベッド13とで強撚糸をフクロ編みしてもう一方の身頃となる他側身頃用強撚糸重合編地２を編成する第二強撚糸重合編地編成工程と、前記後下ニードルベッド12にある編目を前記前上ニードルベッド13の空針へ目移しする、若しくは前記前上ニードルベッド13にある編目を前記後下ニードルベッド12の空針へ目移しする第二目移し工程と、前記第一目移し工程において移動させた編目をもとの編針に戻す第一編目戻し工程と、前記第二目移し工程において移動させた編目をもとの編針に戻す第二編目戻し工程と、を行うものである。
【００２２】
以下、本実施例について詳述する。なお、本実施例では、前下ニードルベッド10及び後上ニードルベッド11で前身頃、後下ニードルベッド12及び前上ニードルベッド13で後身頃を編成する場合について説明する。
【００２３】
本実施例で用いる無縫製横編機は、島精機製作所社製、シマトロニック  ホールガーメント横編機  ＭＡＣＨ２Ｘ１７３  １８Ｇ  Ｌである。
【００２４】
また、本実施例で使用する強撚糸は、天然繊維、具体的には、防縮加工したウール１００％の強撚糸、若しくは天然系抗菌防臭加工した綿１００％の強撚糸を使用する。
【００２５】
［第一強撚糸重合編地編成工程］
第一強撚糸重合編地編成工程では、前下ニードルベッド10と後上ニードルベッド11を使用して二枚フクロ編みで編まれる前身頃用強撚糸重合編地２を編成する。
【００２６】
具体的には、図１に示すように、先ず、一の強撚糸を前下ニードルベッド10で１針置きに４針（図中の編針Ａを使用）編んだ後、後上ニードルベッド11に移り、この後上ニードルベッド11で同様に１針置きに４針（図中の編針Ａを使用）編んだ後、再び前下ニードルベッド10に移り、前記処理を所定範囲で繰り返し行う。
【００２７】
次に、図２に示すように、二の強撚糸を一の強撚糸と重ならないように１針ずらして後上ニードルベッド11で１針置きに４針（図中の編針Ｂを使用）編んだ後、一の強撚糸と交差させて前下ニードルベッド10に移り、この前下ニードルベッド10で同様に１針置きに４針（図中の編針Ｂを使用）編んだ後、一の強撚糸と交差させて再び後上ニードルベッド11に移り、前記処理を所定範囲繰り返し行う。
【００２８】
［第一目移し工程］
第一目移し工程では、第一強撚糸重合編地編成工程の後に、後身頃となる後身頃用強撚糸重合編地２を編成する第二強撚糸重合編地編成工程を行うために、前下ニードルベッド10と後上ニードルベッド11との間に架設している状態を解除する目移しを行う。
【００２９】
具体的には、図３に示すように、後上ニードルベッド11につくった編目を対向側の前下ニードルベッド10の空針に目を移し、全ての編目を前下ニードルベッド10側に集めた状態にする。
【００３０】
［第二強撚糸重合編地編成工程］
第二強撚糸重合編地編成工程では、後下ニードルベッド12と前上ニードルベッド13を使用して二枚フクロ編みで編まれる後身頃用強撚糸重合編地２を編成する。
【００３１】
具体的には、図４に示すように、先ず、一の強撚糸を後下ニードルベッド12で１針置きに４針（図中の編針Ａを使用）編んだ後、前上ニードルベッド13に移り、この前上ニードルベッド13で同様に１針置きに４針（図中の編針Ａを使用）編んだ後、再び後下ニードルベッド12に移り、前記処理を所定範囲で繰り返し行う。
【００３２】
次に、図５に示すように、二の強撚糸を一の強撚糸と重ならないように１針ずらして前上ニードルベッド13で１針置きに４針（図中の編針Ｂを使用）編んだ後、一の強撚糸と交差させて後下ニードルベッド12に移り、この後下ニードルベッド12で同様に１針置きに４針（図中の編針Ｂを使用）編んだ後、一の強撚糸と交差させて再び前上ニードルベッド13に移り、前記処理を所定範囲繰り返し行う。
【００３３】
［第二目移し工程］
第二目移し工程では、第二強撚糸重合編地編成工程の後に、再び第一強撚糸重合編地編成工程を行うために、後下ニードルベッド12と前上ニードルベッド13との間に架設している状態を解除する目移しを行う。
【００３４】
具体的には、図６に示すように、前上ニードルベッド13につくった編目を対向側の後下ニードルベッド12の空針に目を移し、全ての編目を後下ニードルベッド12側に集めた状態にする。
【００３５】
［第一編目戻し工程］
第一編目戻し工程では、第二強撚糸重合編地編成工程を行うために、第一強撚糸重合編地編成工程で後上ニードルベッド11につくった編目を対向側の前下ニードルベッド10の空針に目を移し、全ての編目を前下ニードルベッド10側に集めた状態から、再び第一強撚糸重合編地編成工程を行うために、目移しした編目をもとの位置に戻す。
【００３６】
具体的には、図７に示すように、前の第一強撚糸重合編地編成工程の終了時の編目状態にする。
【００３７】
［第二編目戻し工程］
第二編目戻し工程では、二回目以降の第一強撚糸重合編地編成工程終了後、再び第二強撚糸重合編地編成工程を行うために、前の第二強撚糸重合編地編成工程で前上ニードルベッド13につくった編目を対向側の後下ニードルベッド12の空針に目を移し、全ての編目を後下ニードルベッド12側に集めた状態から、目移しした編目をもとの位置に戻す。
【００３８】
具体的には、図８に示すように、前の第二強撚糸重合編地編成工程の終了時の編目状態にする。
【００３９】
このように、本実施例の無縫製立体編成保温性肌着作成方法は、無縫製横編機を用い、天然繊維の強撚糸を使用して、［第一強撚糸重合編地編成工程］→［第一目移し工程］→［第二強撚糸重合編地編成工程］→［第二目移し工程］→［第一編目戻し工程］→［第一強撚糸重合編地編成工程］→［第一目移し工程］→［第二編目戻し工程］→［第二強撚糸重合編地編成工程］→［第二目移し工程］→［第一編目戻し工程］を繰り返し行うことにより、図９に示すような前身頃、後身頃共に二枚フクロ編みの無縫製立体編成保温性肌着が編成される。なお、本実施例の無縫製立体編成保温性肌着作成方法は、前記無縫製横編機を用い、上述した編成工程を経ることで、前身頃、後身頃と共に、両袖も同時に無縫製で立体編成される。
【００４０】
また、本実施例の無縫製立体編成保温性肌着作成方法によって作成される無縫製立体編成保温性肌着は、強撚糸を使用した二枚フクロ編みによって強撚糸重合編地２に形成される空気層４により保温性が付与され、優れた保温性を発揮し、また、この強撚糸の素材を天然繊維としたので、吸湿性に優れ、汗をかいてもベタツキ感の発生が抑制され、更に、前述のとおり、無縫製立体編成であるため、ミシン目や縫代によるツッパリ感やゴロツキ感が生じず、体形にフィットし、着用感を感じさせない着心地の良い肌着となると共に、パーツ形成の裁断がないので、この裁断によるカットロスが発生せず、省資源生産が可能となりコストの低減が図れる画期的な無縫製立体編成保温性肌着となる。
【実施例２】
【００４１】
本発明の具体的な実施例２について図１０〜２０に基づいて説明する。
【００４２】
本実施例は、実施例１の無縫製立体編成保温性肌着作成方法において、前身頃用強撚糸重合編地２及び後身頃用強撚糸重合編地２を、重なり合う三枚の強撚糸編地１で形成する場合である。
【００４３】
具体的には、本実施例１と同様の工程を行うものであるが、各工程の処理内容が異なるものである。
【００４４】
［第一強撚糸重合編地編成工程］
第一強撚糸重合編地編成工程では、前下ニードルベッド10と後上ニードルベッド11を使用して三枚フクロ編みで編まれる前身頃用強撚糸重合編地２を編成する。
【００４５】
具体的には、図１０に示すように、先ず、一の強撚糸を前下ニードルベッド10で２針置きに４針（図中の編針Ａを使用）編んだ後、後上ニードルベッド11に移り、この後上ニードルベッド11で同様に２針置きに４針（図中の編針Ａを使用）編んだ後、再び前下ニードルベッド10に移り、前記処理を所定範囲で繰り返し行う。
【００４６】
次に、図１１に示すように、二の強撚糸を一の強撚糸と重ならないようにして後上ニードルベッド11で２針置きに４針（図中の編針Ｂを使用）編んだ後、一の強撚糸と交差させて前下ニードルベッド10に移り、この前下ニードルベッド10で同様に２針置きに４針（図中の編針Ｂを使用）編んだ後、一の強撚糸と交差させて再び後上ニードルベッド11に移り、前記処理を所定範囲繰り返し行う。
【００４７】
次に、図１２に示すように、三の強撚糸を一、二の強撚糸と重ならないようにして前下ニードルベッド10で２針置きに４針（図中の編針Ｃを使用）編んだ後、後上ニードルベッド11に移り、この後上ニードルベッド11で同様に２針置きに４針（図中の編針Ｃを使用）編んだ後、再び前下ニードルベッド10に移り、前記処理を所定範囲で繰り返し行う。
【００４８】
このように、この第一強撚糸重合編地編成工程では、三枚フクロ編みが行われる。
【００４９】
［第一目移し工程］
第一目移し工程では、第一強撚糸重合編地編成工程の後に、後身頃となる後身頃用強撚糸重合編地２を編成する第二強撚糸重合編地編成工程を行うために、前下ニードルベッド10と後上ニードルベッド11との間に架設している状態を解除する目移しを行う。
【００５０】
具体的には、図１３に示すように、後上ニードルベッド11につくった編目を対向側の前下ニードルベッド10の空針に目を移し、全ての編目を前下ニードルベッド10側に集めた状態にする。
【００５１】
［第二強撚糸重合編地編成工程］
第二強撚糸重合編地編成工程では、後下ニードルベッド12と前上ニードルベッド13を使用して第一強撚糸重合編地編成工程と同様、三枚フクロ編みで編まれる後身頃用強撚糸重合編地２を編成する。
【００５２】
具体的には、図１４に示すように、先ず、一の強撚糸を後下ニードルベッド12で２針置きに４針（図中の編針Ａを使用）編んだ後、前上ニードルベッド13に移り、この前上ニードルベッド13で同様に２針置きに４針（図中の編針Ａを使用）編んだ後、再び後下ニードルベッド12に移り、前記処理を所定範囲で繰り返し行う。
【００５３】
次に、図１５に示すように、二の強撚糸を一の強撚糸と重ならないようにして前上ニードルベッド13で１針置きに４針（図中の編針Ｂを使用）編んだ後、一の強撚糸と交差させて後下ニードルベッド12に移り、この後下ニードルベッド12で同様に１針置きに４針（図中の編針Ｂを使用）編んだ後、一の強撚糸と交差させて再び前上ニードルベッド13に移り、前記処理を所定範囲繰り返し行う。
【００５４】
次に、図１６に示すように、三の強撚糸を一、二の強撚糸と重ならないようにして後下ニードルベッド12で２針置きに４針（図中の編針Ｃを使用）編んだ後、前上ニードルベッド13に移り、この前上ニードルベッド13で同様に２針置きに４針（図中の編針Ｃを使用）編んだ後、再び後下ニードルベッド12に移り、前記処理を所定範囲で繰り返し行う。
【００５５】
［第二目移し工程］
第二目移し工程では、第二強撚糸重合編地編成工程の後に、再び第一強撚糸重合編地編成工程を行うために、後下ニードルベッド12と前上ニードルベッド13との間に架設している状態を解除する目移しを行う。
【００５６】
具体的には、図１７に示すように、前上ニードルベッド13につくった編目を対向側の後下ニードルベッド12の空針に目を移し、全ての編目を後下ニードルベッド12側に集めた状態にする。
【００５７】
［第一編目戻し工程］
第一編目戻し工程では、第二強撚糸重合編地編成工程を行うために、第一強撚糸重合編地編成工程で後上ニードルベッド11につくった編目を対向側の前下ニードルベッド10の空針に目を移し、全ての編目を前下ニードルベッド10側に集めた状態から、再び第一強撚糸重合編地編成工程を行うために、目移しした編目をもとの位置に戻す。
【００５８】
具体的には、図１８に示すように、前の第一強撚糸重合編地編成工程の終了時の編目状態にする。
【００５９】
［第二編目戻し工程］
第二編目戻し工程では、二回目以降の第一強撚糸重合編地編成工程終了後、再び第二強撚糸重合編地編成工程を行うために、前の第二強撚糸重合編地編成工程で前上ニードルベッド13につくった編目を対向側の後下ニードルベッド12の空針に目を移し、全ての編目を後下ニードルベッド12側に集めた状態から、目移しした編目をもとの位置に戻す。
【００６０】
具体的には、図１９に示すように、前の第二強撚糸重合編地編成工程の終了時の編目状態にする。
【００６１】
このように、本実施例の無縫製立体編成保温性肌着作成方法は、無縫製横編機を用い、天然繊維の強撚糸を使用して、［第一強撚糸重合編地編成工程］→［第一目移し工程］→［第二強撚糸重合編地編成工程］→［第二目移し工程］→［第一編目戻し工程］→［第一強撚糸重合編地編成工程］→［第一目移し工程］→［第二編目戻し工程］→［第二強撚糸重合編地編成工程］→［第二目移し工程］→［第一編目戻し工程］を繰り返し行うことにより、図２０に示すような前身頃、後身頃共に三枚フクロ編みの無縫製立体編成保温性肌着が編成される。
【００６２】
尚、本発明は、実施例１，２に限られるものではなく、各構成要件の具体的構成は適宜設計し得るものである。
【符号の説明】
【００６３】
１  強撚糸編地
２  強撚糸重合編地
３  節結部
４  空気層
10  前下ニードルベッド
11  後上ニードルベッド
12  後下ニードルベッド
13  前上ニードルベッド
【図１】
2019203222.tif 000003
【図２】
2019203222.tif 000004
【図３】
2019203222.tif 000005
【図４】
2019203222.tif 000006
【図５】
2019203222.tif 000007
【図６】
2019203222.tif 000008
【図７】
2019203222.tif 000009
【図８】
2019203222.tif 000010
【図９】
2019203222.tif 000011
【図１０】
2019203222.tif 000012
【図１１】
2019203222.tif 000013
【図１２】
2019203222.tif 000014
【図１３】
2019203222.tif 000015
【図１４】
2019203222.tif 000016
【図１５】
2019203222.tif 000017
【図１６】
2019203222.tif 000018
【図１７】
2019203222.tif 000019
【図１８】
2019203222.tif 000020
【図１９】
2019203222.tif 000021
【図２０】
2019203222.tif 000022